(57)【要約】【課題】  作業の効率を上げることができる写真処理装置を提供する。【解決手段】  写真処理装置１００はネットワーク３００を介してＰＣ２０１〜２０３に接続されている。写真処理装置１００は、データを記憶するデータ記憶部６０と、データ記憶部６０に記憶されているデータのうちプリント出力すべきデータが指定されたオーダを記憶するオーダ記憶部５０と、オーダ記憶部５０に記憶されているオーダによって指定されているデータをロール状印画紙８０にプリントする露光／印刷処理部７０と、プリント出力すべきデータが指定されたプリント出力指示をＰＣ２０１〜２０３からネットワーク３００を介して受けると、受けた出力指示をオーダとしてオーダ記憶部５０に格納する制御＆画像処理部２０とを備える。【選択図】  図１
2006035463.tif 000002
【特許請求の範囲】
【請求項１】
ネットワークを介して端末装置に接続された写真処理装置であって、
データを記憶するデータ記憶手段と、
前記データ記憶手段に記憶されているデータのうちプリント出力すべきデータが指定されたオーダを記憶するオーダ記憶手段と、
前記オーダ記憶手段に記憶されているオーダによって指定されているデータをプリント用紙にプリントするプリント手段と、
プリント出力すべきデータが指定された出力指示を前記端末装置から前記ネットワークを介して受けると、受けた出力指示をオーダとして前記オーダ記憶手段に記憶させる制御手段とを備える、
ことを特徴とする写真処理装置。
【請求項２】
請求項１において、
前記出力指示において指定されているデータはキャリブレーションデータである、
ことを特徴とする写真処理装置。
【請求項３】
請求項１において、
前記出力指示において指定されているデータは前記写真処理装置の管理データである、
ことを特徴とする写真処理装置。
【請求項４】
請求項１から３のいずれか１つにおいて、
前記出力指示では、データをプリント出力すべきタイミングが指定されており、
前記プリント手段は、
前記オーダ記憶手段に記憶されているオーダのうち前記出力指示に対応するオーダによって指定されているデータを前記出力指示において指定されたタイミングでプリントする、
ことを特徴とする写真処理装置。
【発明の詳細な説明】
【技術分野】
【０００１】
本発明は、ネットワークを介して端末装置に接続された写真処理装置に関する。
【背景技術】
【０００２】
カメラによって撮影された画像を印画紙にプリントする写真処理装置では、撮影された画像の色／濃度を良好に印画紙上に再現するためにキャリブレーションが行われる。キャリブレーションは、通常、キャリブレーションを行うための画像（いわゆるパッチ、たとえば、各種の濃度のシアン（Ｃ）パッチ、マゼンタ（Ｍ）パッチ、イエロー（Ｙ）パッチ、グレーパッチ等）が記録された基準チャートを印画紙に出力し、このチャートの各パッチの濃度を濃度測定器で測定し、目的とする濃度（チャートの記録のために与えた画像データ）と濃度測定器で測定した基準チャートの濃度とから更正のためのテーブルをアルゴリズム等を用いて作成し、このテーブルを写真処理装置の画像データ処理部に設定することによって行われる。写真処理装置では、画像データ供給源から供給された画像データをこのテーブルで補正することによって、供給された画像データに応じた画像を良好に再生した写真プリントを実現する。
【特許文献１】特開平１０−１３５９５号公報
【発明の開示】
【発明が解決しようとする課題】
【０００３】
写真処理装置におけるキャリブレーションデータはその装置に固有のものであるため、従来は写真処理装置をオペレータが操作してキャリブレーションの実行指示を行う必要があった。また、その際には、写真処理装置で実行中のプリント処理を停止させた後にキャリブレーションの実行指示を行うか、実行中のプリント処理が終了するのを待ち、処理の終了後にキャリブレーションの実行指示を行う必要があった。
【０００４】
本発明の目的は、作業の効率を上げることができる写真処理装置を提供することである。
【課題を解決するための手段】
【０００５】
本発明による写真処理装置はネットワークを介して端末装置に接続されている。この写真処理装置は、データを記憶するデータ記憶手段と、前記データ記憶手段に記憶されているデータのうちプリント出力すべきデータが指定されたオーダを記憶するオーダ記憶手段と、前記オーダ記憶手段に記憶されているオーダによって指定されているデータをプリント用紙にプリントするプリント手段と、プリント出力すべきデータが指定された出力指示を前記端末装置から前記ネットワークを介して受けると、受けた出力指示をオーダとして前記オーダ記憶手段に記憶させる制御手段とを備える。
【０００６】
上記写真処理装置において、前記出力指示において指定されているデータはキャリブレーションデータである、ことが好ましい。
【０００７】
上記写真処理装置において、前記出力指示において指定されているデータは前記写真処理装置の管理データである、ことが好ましい。管理データとしては、たとえば、写真処理装置における日々の処理枚数や売り上げ、トラブル履歴などが挙げられる。
【０００８】
上記写真処理装置において、前記出力指示では、データをプリント出力すべきタイミングが指定されており、前記プリント手段は、前記オーダ記憶手段に記憶されているオーダのうち前記出力指示に対応するオーダによって指定されているデータを前記出力指示において指定されたタイミングでプリントする、ことが好ましい。指定されるタイミングとしては、たとえば、あるオーダと他のオーダとの間、一日の最終オーダの後、オーダまたはロール状プリント用紙における最終の一枚（切断の手前）などが挙げられる。
【発明の効果】
【０００９】
本発明による写真処理装置では、ネットワークで接続された外部端末装置から写真処理装置内のデータのプリント出力指示を行うことができるため、端末装置のオペレータは、写真処理装置内のデータのプリント出力のために写真処理装置を自ら操作する必要がなく作業の効率を上げることができる。また、プリント出力すべきデータが端末装置になくてもプリント出力を行うことができる。
【００１０】
また、あるオーダについてのプリント出力処理を写真処理装置が行っている途中であってもその処理を止めることなく端末装置から出力指示を送信することができる。
【００１１】
また、データをプリント出力すべきタイミングを端末装置からの出力指示において指定できるため、たとえば、写真処理装置の起動時に終業時のプリントの予約ができ、さらには、オーダまたはロール状プリント用紙の最後の一枚にプリントを行うようにタイミングを指定すればロスペーパーを減少することができる。ロール状プリント用紙に画像データ等をプリントする従来の写真処理装置では、一枚分あるいは数枚分だけプリントする場合（１つのオーダにおいて一枚あるいは数枚だけプリントする場合）であっても、最短長さのペーパーを必要とするため、ロスペーパーが生じてくる。本発明の写真処理装置では、管理データやキャリブレーションデータ等を一枚分（あるいは数枚分）だけプリントする場合には、このデータを別のオーダの最後の一枚（あるいは最後の数枚）としてプリントを行うようにタイミングを指定することができるため、ロスペーパーを減少することができる。
【発明を実施するための最良の形態】
【００１２】
本発明の実施形態による写真処理装置の機能ブロック図を図１に示す。この写真処理装置１００は、ネットワーク３００を介して複数の端末（ＰＣ：パーソナルコンピュータ）２０１〜２０３と接続されている。ＰＣ２０１〜２０３の各々は、ネットワーク３００を介して写真処理装置１００に対してデータのプリント出力指示を与える。ＰＣ２０１〜２０３からのプリント出力指示に応答して写真処理装置１００は、内部に格納しているデータをプリント出力する。
【００１３】
写真処理装置１００は、入出力インタフェース（Ｉ／Ｆ）１０と、制御＆画像処理部２０と、操作部３０と、モニタ４０と、オーダ記憶部５０と、データ記憶部６０と、露光／印刷処理部７０とを備えている。
【００１４】
入出力Ｉ／Ｆ１０は、ネットワーク３００を介してＰＣ２０１〜２０３から送られてくる情報を制御＆画像処理部２０へ与え、制御＆画像処理部２０から外部へ出力すべき情報をネットワーク３００上に送出する。
【００１５】
制御＆画像処理部２０は、写真処理装置１００で取り扱うデータに対する種々の処理を行う。たとえば、ＰＣ２０１〜２０３からネットワーク３００を介して送られてきたプリント出力指示をオーダとしてオーダ記憶部５０に格納したり、キャリブレーションデータを作成してデータ記憶部６０に格納したり、写真処理装置１００の管理データをデータ記憶部６０に格納したり、オーダ記憶部５０に格納されているオーダにおいて指定されているプリント出力すべきデータを露光／印刷処理部７０へ送る処理を行ったりする。
【００１６】
データ記憶部６０には、写真処理装置１００でプリント出力されるデータが格納されている。データ記憶部６０に格納されるデータの例を図２に示す。この例では画像データ６３，６４、キャリブレーションデータ６１、管理データ６２がデータ記憶部６０に格納されている。画像データ６３，６４の各々には、１オーダでプリント処理される複数の画像データが含まれている。画像データ６３，６４は、写真処理装置１００に設けられたカードスロットやＣＤドライブ等（図示せず）を通じてメモリカードやＣＤ等の記録媒体からデータ記憶部５０に格納されたものであってもよいし、ネットワーク３００を介して写真処理装置１００に接続された端末（ＰＣ２０１〜２０３やプリント受付け端末（図示せず）等）においてメモリカード等の記録媒体から取り込まれた後にネットワーク３００を介して写真処理装置１００に送信され、入出力Ｉ／Ｆ１０を通じてデータ記憶部５０に格納されたものであってもよい。キャリブレーションデータ６１は、キャリブレーションを行うための基準チャートを出力するための画像データ（キャリブレーション画像データ）を作成するパラメータ、あるいは、キャリブレーション画像データそのものである。管理データ６２には、写真処理装置１００の日々の処理枚数や売り上げ、トラブル履歴などが含まれている。
【００１７】
オーダ記憶部５０には、データ記憶部６０に格納されているデータのうちプリント出力すべきデータが指定されたオーダが格納される。
【００１８】
露光／印刷処理部７０は、制御＆画像処理部２０から送られてきたデータをロール状印画紙８０に露光し、露光された印画紙に対して現像処理および乾燥を行い、切断して仕上がりプリントとし、仕分けを行う。
【００１９】
操作部３０は、写真処理装置１００を使用するオペレータからの指示を受け付け、この指示に従って制御＆画像処理部２０を制御する。モニタ４０は、制御＆画像処理部２０からの画像データを画面に表示する。
【００２０】
次に、以上のように構成された写真処理装置１００によって行われる処理について説明する。この写真処理装置１００は、データ記憶部６０に格納されているデータのプリント出力指示を、ネットワーク３００を介して接続されたＰＣ２０１〜２０３から行える点を特徴としており、以下ではこの特徴点に関する処理の具体的な例を挙げて説明する。
【００２１】
ＰＣ２０１から画像データ６３のプリント出力指示が写真処理装置１００に送信される。このプリント出力指示には、送信元を識別するためのユーザＩＤ（ここでは「ＰＣ２０１」），プリント出力対象（ここでは「画像データ６３」），プリント出力タイミング（ここでは「指定なし」）が含まれている。写真処理装置１００の制御＆画像処理部２０は、ＰＣ２０１からのプリント出力指示を受信すると、そのプリント出力指示を識別するためのオーダＩＤ（ここでは「１」）を付与し、オーダＩＤ（ここでは「１」），ユーザＩＤ（ここでは「ＰＣ２０１」），プリント出力対象（ここでは「画像データ６３」），プリント出力タイミング（ここでは「指定なし」）を対応づけて１つのオーダとしてオーダ記憶部６０に格納する（図３（ａ）参照）。
【００２２】
次に、ＰＣ２０２から画像データ６４のプリント出力指示が写真処理装置１００に送信される。このプリント出力指示には、送信元を識別するためのユーザＩＤ（ここでは「ＰＣ２０２」），プリント出力対象（ここでは「画像データ６４」），プリント出力タイミング（ここでは「指定なし」）が含まれている。写真処理装置１００の制御＆画像処理部２０は、ＰＣ２０２からのプリント出力指示を受信すると、そのプリント出力指示を識別するためのオーダＩＤ（ここでは「２」）を付与し、オーダＩＤ（ここでは「２」），ユーザＩＤ（ここでは「ＰＣ２０２」），プリント出力対象（ここでは「画像データ６４」），プリント出力タイミング（ここでは「指定なし」）を対応づけて１つのオーダとしてオーダ記憶部６０に格納する（図３（ａ）参照）。
【００２３】
オーダ記憶部６０に格納される各オーダには、そのオーダについてのプリント出力処理の進行状態を示す情報（「プリント待ち」，「プリント中」など）が対応づけられている。
【００２４】
オーダにおいて出力タイミングが指定されていないときは、オーダ記憶部５０に格納されたオーダの順にプリント処理が行われる。したがって図３（ａ）の状況では、写真処理装置１００の制御＆画像処理部２０は、まず、オーダＩＤ「１」で指定されている画像データ６３を露光／印刷処理部７０へ送り、露光／印刷処理部７０において画像データ６３のプリント処理が行われる。その次に制御＆画像処理部２０は、オーダＩＤ「２」で指定されている画像データ６４を露光／印刷処理部７０へ送り、露光／印刷処理部７０において画像データ６４のプリント処理が行われる。
【００２５】
以上のように写真処理装置１００では、データ記憶部６０に格納されているデータのプリント出力指示を、ネットワーク３００を介して接続されたＰＣ２０１〜２０３から行うことができる。
【００２６】
ＰＣ２０１〜２０３からプリント出力を指示できるデータは画像データ６３，６４だけではなく、キャリブレーションデータ６１や管理データ６２を指定することもできる。さらに、プリント出力指示においてプリント出力のタイミングを指定することもできる。オーダにおいて出力タイミングが指定されているときは、その指定されたタイミングでプリント処理が行われる。
【００２７】
たとえば図３（ｂ）に示すように、ＰＣ２０３からキャリブレーションデータ６１のプリント出力指示が写真処理装置１００に送信されたものとする。このプリント出力指示には、送信元を識別するためのユーザＩＤ（ここでは「ＰＣ２０３」），プリント出力対象（ここでは「キャリブレーションデータ６１」），プリント出力タイミング（ここでは「オーダ「１」とオーダ「２」との間」）が含まれている。写真処理装置１００の制御＆画像処理部２０は、ＰＣ２０３からのプリント出力指示を受信すると、そのプリント出力指示を識別するためのオーダＩＤ（ここでは「３」）を付与し、オーダＩＤ（ここでは「３」），ユーザＩＤ（ここでは「ＰＣ２０３」），プリント出力対象（ここでは「キャリブレーションデータ６１」），プリント出力タイミング（ここでは「オーダ「１」とオーダ「２」との間」）を対応づけて１つのオーダとしてオーダ記憶部６０に格納する。
【００２８】
写真処理装置１００の制御＆画像処理部２０は、このプリント出力指示においてプリント出力対象に指定されているキャリブレーションデータ６１を必要に応じて作成しデータ記憶部６０に格納する。そして、オーダＩＤ「１」で指定されている画像データ６３のプリント処理が終了すると、オーダＩＤ「３」で指定されているキャリブレーションデータ６１を露光／印刷処理部７０へ送り、露光／印刷処理部７０においてキャリブレーションデータ６１のプリント処理が行われる。
【００２９】
さらに写真処理装置１００では、あるオーダについてのプリント処理中であっても、データ記憶部６０に格納されているデータのプリント出力指示をＰＣ２０１〜２０３から行うことができる。
【００３０】
たとえば図３（ｃ）に示すように、オーダ「１」についての画像データ６３のプリント出力処理中にＰＣ２０３から管理データ６２のプリント出力指示が写真処理装置１００に送信されたものとする。このプリント出力指示には、送信元を識別するためのユーザＩＤ（ここでは「ＰＣ２０３」），プリント出力対象（ここでは「管理データ６２」），プリント出力タイミング（ここでは「ロール終端（ロール状印画紙８０における最終の一枚）」が含まれている。写真処理装置１００の制御＆画像処理部２０は、ＰＣ２０３からのプリント出力指示を受信すると、そのプリント出力指示を識別するためのオーダＩＤ（ここでは「４」）を付与し、オーダＩＤ（ここでは「４」），ユーザＩＤ（ここでは「ＰＣ２０３」），プリント出力対象（ここでは「管理データ６２」），プリント出力タイミング（ここでは「ロール終端」）を対応づけて１つのオーダとしてオーダ記憶部６０に格納する。
【００３１】
写真処理装置１００ではロール状印画紙８０の残り量をセンサ等で検知しており、制御＆画像処理部２０は、ロール状印画紙８０の最終の一枚として管理データ６２をプリント出力できる状態になると、オーダＩＤ「４」で指定されている管理データ６２を露光／印刷処理部７０へ送り、露光／印刷処理部７０において管理データ６２のプリント処理が行われる。
【００３２】
ＰＣ２０１〜２０３から指定できるプリント出力タイミングは、この他にも、図４（ａ）に示すように「あるオーダの最終の一枚」，図４（ｂ）に示すように「一日の最終オーダの後」など種々のタイミングを指定することができる。
【００３３】
以上のように本実施形態による写真処理装置１００では、ネットワーク３００で接続されたＰＣ２０１〜２０３から写真処理装置１００内のデータのプリント出力指示を行うことができるため、ＰＣ２０１〜２０３のオペレータは、写真処理装置１００内のデータのプリント出力のために写真処理装置１００を自ら操作する必要がなく作業の効率を上げることができる。また、プリント出力すべきデータがＰＣ２０１〜２０３側になくてもプリント出力を行うことができる。
【００３４】
また、あるオーダについてのプリント出力処理を写真処理装置１００が行っている途中であってもその処理を止めることなくＰＣ２０１〜２０３から出力指示を送信することができる。
【００３５】
また、データをプリント出力すべきタイミングをＰＣ２０１〜２０３からのプリント出力指示において指定できるため、たとえば、写真処理装置１００の起動時に終業時のプリントの予約ができ、さらには、オーダまたはロール状印画紙８０の最後の一枚にプリントを行うようにタイミングを指定すればロスペーパーを減少することができる。ロール状印画紙に画像データ等をプリントする従来の写真処理装置では、一枚分あるいは数枚分だけプリントする場合（１つのオーダにおいて一枚あるいは数枚だけプリントする場合）であっても、最短長さのペーパーを必要とするため、ロスペーパーが生じてくる。本実施形態による写真処理装置１００では、管理データ６２やキャリブレーションデータ６１等を一枚分（あるいは数枚分）だけプリントする場合には、このデータを別のオーダの最後の一枚（あるいは最後の数枚）としてプリントを行うようにタイミングを指定することができるため、ロスペーパーを減少することができる。
【００３６】
なお、本実施形態ではロール状のプリント用紙（ロール状印画紙８０）に画像データ等をプリントする写真処理装置を例にして説明したが、シート状のプリント用紙に画像データ等をプリントする写真処理装置に対しても同様に本発明を適用することができる。
【産業上の利用可能性】
【００３７】
本発明は、ネットワークを介して端末装置に接続されている写真処理装置に適用可能である。本発明を適用することにより、作業の効率を上げることができたり、ロスペーパーを減らすことができたりといった効果が得られる。
【図面の簡単な説明】
【００３８】
【図１】本発明の実施形態による写真処理装置のシステム構成を示すブロック図である。
【図２】図１に示したデータ記憶部に格納されるデータの例を示す図である。
【図３】図１に示したオーダ記憶部に格納されるオーダの例を示す図である。
【図４】図１に示したオーダ記憶部に格納されるオーダの例を示す図である。
【符号の説明】
【００３９】
１００  写真処理装置
２０  制御＆画像処理部
５０  オーダ記憶部
６０  データ記憶部
７０  露光／印刷処理部
８０  ロール状印画紙
２０１〜２０３  端末（ＰＣ）
３００  ネットワーク
【図１】
2006035463.tif 000003
【図２】
2006035463.tif 000004
【図３】
2006035463.tif 000005
【図４】
2006035463.tif 000006